(57)【要約】【課題】湿式拭きできる清掃具において、静粛に作動し、液剤を安定的に吐出可能にし、かつ軽量化すること。【解決手段】清掃具１であって、柄１０の先端に清掃ヘッド４０を設け、柄１０のグリップ１１の側に手元操作部１４を設け、柄１０の先端側に押圧ポンプ式吐出容器５０及びポンプ押圧具６０を設け、手元操作部１４をポンプ押圧具６０に連結する連結部材３０を柄１０に沿って設け、手元操作部１４に加える手操作により連結部材３０とポンプ押圧具６０を介して押圧ポンプ式吐出容器５０を押圧し、該吐出容器５０から清掃ヘッド４０の側に液剤を吐出させるもの。【選択図】  図１
2004337454.tif 000002
【特許請求の範囲】
【請求項１】
柄の先端に清掃ヘッドを設け、柄のグリップの側に手元操作部を設け、柄の先端側に押圧ポンプ式吐出容器及びポンプ押圧具を設け、手元操作部をポンプ押圧具に連結する連結部材を柄に沿って設け、手元操作部に加える手操作により連結部材とポンプ押圧具を介して押圧ポンプ式吐出容器を押圧し、該吐出容器から清掃ヘッドの側に液剤を吐出させる清掃具。
【請求項２】
前記吐出容器が、容器取付具を介して柄に着脱可能にされ、容器取付具が、柄に取付く把持部と、柄に設けた保持部に係止して前記吐出容器に作用するポンプ押圧力に対し該吐出容器を保持する係止部とを備えてなる請求項１に記載の清掃具。
【請求項３】
前記吐出容器が、柄に取付く把持部と、柄に設けた保持部に係止して該吐出容器に作用するポンプ押圧力に対し該吐出容器を保持する係止部とを備えてなる請求項１に記載の清掃具。
【請求項４】
前記吐出容器が液剤を霧状に噴霧するスプレーノズルを備えた請求項１〜３のいずれかに記載の清掃具。
【請求項５】
前記柄が互いに着脱される複数のパイプを有し、
前記連結部材が互いに連結状をなし、各パイプのそれぞれに内挿される複数のロッドからなり、
各ロッドを内挿した各パイプの単体で、ロッド長がパイプ長より短く、かつ該パイプ長から当該パイプに接続される他のパイプとの接続長を差し引いた長さ又はそれよりも長く設定されてなる請求項１〜４のいずれかに記載の清掃具。
【請求項６】
前記柄が互いに着脱される複数のパイプを有し、
前記連結部材が互いに連結状をなし、各パイプのそれぞれに内挿される複数のロッドからなり、
各ロッドを内挿した各パイプの単体で、ロッド長がパイプ長より短く、かつ該パイプ長から当該パイプに接続される他のパイプとの接続長を差し引いた長さ又はそれよりも長く設定され、パイプに対するロッドの可動範囲をパイプの端からロッドが突き出ることのない範囲に拘束してなる請求項１〜４のいずれかに記載の清掃具。
【請求項７】
前記ロッドの軸方向の１ヶ所以上に張り出し部を設け、該張り出し部がパイプの内面に沿って軸方向に摺動可能、かつ摺動端でパイプの内面に設けたストッパ部に衝合し、該ロッドの可動範囲を拘束する請求項６に記載の清掃具。
【請求項８】
前記吐出容器を柄から取外した状態で、前記ポンプ押圧具を格納する格納部を備えた請求項１〜７のいずれかに記載の清掃具。
【請求項９】
請求項１〜８のいずれかに記載の清掃具を用いる吐出容器。
【請求項１０】
請求項１〜８のいずれかに記載の清掃具で吐出させる液剤。
【請求項１１】
請求項１〜８のいずれかに記載の清掃具を用いる清掃方法。
【発明の詳細な説明】
【０００１】
【発明の属する技術分野】
本発明は清掃具に関する。
【０００２】
【従来の技術】
特許文献１に記載の如く、湿式拭き用清掃具として、柄の先端の清掃ヘッドの近傍に、電動ギヤポンプ式吐出容器を設け、柄の手元操作部に加える手操作により電動ギヤポンプ式吐出容器を作動させ、該吐出容器から清掃ヘッドの側に液剤を吐出させるものがある。
【０００３】
特許文献２に記載の如く、湿式拭き用清掃具として、柄の先端の清掃ヘッドの近傍に、開閉弁を備えてヘッド圧により液剤を吐出可能にする吐出容器を設け、柄の手元操作部に加える手操作により開閉弁を開き、該吐出容器から清掃ヘッドの側に液剤を吐出させるものがある。
【０００４】
【特許文献１】
特表２０００−５０７４８０
【０００５】
【特許文献２】
ＰＣＴ  ＷＯ０１−７２１９５  Ａ１
【０００６】
【発明が解決しようとする課題】
特許文献１の清掃具では、電動ギヤポンプ式吐出容器を用いるものであるから、電動モータの作動音が静粛性を損なう。
【０００７】
特許文献２の清掃具では、吐出容器の傾き等による液面レベルの変化によりヘッド圧が変化し、液剤の吐出量が変動し易い。
【０００８】
尚、柄の先端の清掃ヘッドの近傍に、封入ガス圧により液剤を吐出可能にするエアゾール式吐出容器を設け、柄の手元操作部に加える手操作によりエアゾール式吐出容器を作動させ、該吐出容器から清掃ヘッドの側に液剤を吐出させるものがある。しかしながら、エアゾール式吐出容器は、封入ガス圧の密閉安定性のために円柱状の金属容器とされ、加工性が悪いし、柄等への取付性も悪く、軽量化と低コスト化に困難がある。また、封入ガス残量が少ないときに特に、吐出口に泡が残るし、吐出容器の残液量によって液剤の吐出量が低下する。
【０００９】
また、予め液剤を含浸させた清掃シートを清掃ヘッドに取付ける清掃具もあるが、使用による液切れや経時的な自然乾燥により、清掃シートが汚れ切っていないのに湿式拭き不能になる不都合がある。
【００１０】
本発明の課題は、湿式拭きできる清掃具において、静粛に作動し、液剤を安定的に吐出可能にし、かつ軽量化することにある。
【００１１】
【課題を解決するための手段】
請求項１の発明は、柄の先端に清掃ヘッドを設け、柄のグリップの側に手元操作部を設け、柄の先端側に押圧ポンプ式吐出容器及びポンプ押圧具を設け、手元操作部をポンプ押圧具に連結する連結部材を柄に沿って設け、手元操作部に加える手操作により連結部材とポンプ押圧具を介して押圧ポンプ式吐出容器を押圧し、該吐出容器から清掃ヘッドの側に液剤を吐出させる清掃具である。
【００１２】
【発明の実施の形態】
清掃具１は、図１に示す如く、柄１０の先端に清掃ヘッド４０を設け、柄１０のグリップ１１の側に手元操作部１４を設け、柄１０の先端側に押圧ポンプ式吐出容器５０及びポンプ押圧具６０を設け、手元操作部１４をポンプ押圧具６０に連結する連結部材３０を柄１０に沿って設けてある。これにより、清掃具１は、手元操作部１４に加える手操作により連結部材３０とポンプ押圧具６０を介して押圧ポンプ式吐出容器５０を押圧し、吐出容器５０から清掃ヘッド４０の側に液剤を吐出させる。
【００１３】
以下、柄１０及び連結部材３０の構造、清掃ヘッド４０の構造、押圧ポンプ式吐出容器５０の構造、ポンプ押圧具６０の構造について順に説明する。
【００１４】
（柄１０及び連結部材３０の構造）（図１、図３〜図９）
柄１０は、図１に示す如く、グリップ１１と先端アダプタ１２を有するとともに、グリップ１１と先端アダプタ１２の間に設けられる複数本、本実施形態では第１〜第３の３本のパイプ１３、１３、１３を有する。パイプ１３は互いにかつグリップ１１と先端アダプタ１２のそれぞれに以下の接続構造によって着脱可能に設けられる。
【００１５】
柄１０は、図３に示す如く、グリップ１１に一体結合した接続具２１に第１のパイプ１３の一端絞り部１３Ａをテーパ嵌合し、接続具２１の弾発凸部２１Ａを該一端絞り部１３Ａの係止孔１３Ｂに係入して第１のパイプ１３をグリップ１１に抜け止めする。尚、接続具２１の弾発凸部２１Ａは、接続具２１の取外し操作部２１Ｂに加える操作により第１のパイプ１３の係止孔１３Ｂから係入解除される。
【００１６】
また、柄１０は、図４に示す如く、第１のパイプ１３の他端に一体結合した接続具２２に第２のパイプ１３の一端絞り部１３Ａをテーパ嵌合し、接続具２２の弾発凸部２２Ａを該一端絞り部１３Ａの係止孔１３Ｂに係入して第２のパイプ１３を第１のパイプ１３に抜け止めする。尚、接続具２２の弾発凸部２２Ａは、接続具２２の取外し操作部２２Ｂに加える操作により第２のパイプ１３の係止孔１３Ｂから係入解除される。第２のパイプ１３の他端に一体結合した接続具２３（弾発凸部２３Ａ、取外し操作部２３Ｂ）と第３のパイプ１３の一端絞り部１３Ａ（係止孔１３Ｂ）との接続も同様になされる。
【００１７】
また、柄１０は、図５に示す如く、第３のパイプ１３の他端に一体結合した接続具２４に先端アダプタ１２の基端部１２Ａを嵌合し、接続具２４の弾発凸部２４Ａを該基端部１２Ａの係止孔１２Ｂに係入して先端アダプタ１２を第３のパイプ１３に抜け止めする。尚、接続具２４の弾発凸部２４Ａは、接続具２４の取外し操作部２４Ｂに加える操作により先端アダプタ１２の係止孔１２Ｂから係入解除される。
【００１８】
グリップ１１は、図３に示す如く、レバー状の手元操作部１４をピン結合されるとともに、駆動ロッド１５を軸方向摺動可能に内挿する。駆動ロッド１５は、軸方向の１ヶ所に鍔状の張り出し部１５Ａを設け、張り出し部１５Ａがグリップ１１の孔内面に沿って軸方向に摺動可能になる。張り出し部１５Ａは、円板状に限らず、例えば、３方向にのびた平たいプロペラのようなものでも良い。グリップ１１を第１のパイプ１３から分割した単体において、グリップ１１に内挿された駆動ロッド１５は、グリップ１１の内面に設けたストッパ部１１Ａにその張り出し部１５Ａを衝合し、グリップ１１の孔端から突き出ることのないように、その可動範囲を拘束される。
【００１９】
先端アダプタ１２は、図９に示す如く、先端部に設けた継手１６に清掃ヘッド４０の継手４１を結合し、継手１６と継手４１により自在継手を構成し、清掃ヘッド４０を先端アダプタ１２の先端部において前後左右に自在に回動可能にする。先端アダプタ１２は、図５、図６に示す如く、先端側の外面に枢支部１２Ｃを備え、この枢支部１２Ｃにレバー状のポンプ押圧具６０をピン結合する。先端アダプタ１２は、従動ロッド１８を該アダプタ１２の孔内面に沿って軸方向摺動可能に内挿し、従動ロッド１８の先端部を上記ポンプ押圧具６０の一端連結部（力点）６１にピン結合する。先端アダプタ１２を第３のパイプ１３から分離した単体において、先端アダプタ１２に内挿された従動ロッド１８は、ポンプ押圧具６０とのピン結合により、先端アダプタ１２の孔端から突き出ることのないように、その可動範囲を拘束される。
【００２０】
第１〜第３のパイプ１３の内部には連結部材３０が内挿され、図３〜図５、図７に示す如く、グリップ１１の手元操作部１４による駆動ロッド１５の軸方向変位が連結部材３０を介して先端アダプタ１２の内部の従動ロッド１８に伝えられ、ポンプ押圧具６０を揺動操作可能にする。このとき、連結部材３０は、互いに連結状をなす複数本、本実施形態では第１〜第３の３本のロッド３１、３１、３１からなり、各ロッド３１は前述の第１〜第３の各パイプ１３のそれぞれに内挿される。第１のパイプ１３に内挿される第１のロッド３１の一端部の孔３１Ａがグリップ１１の駆動ロッド１５の先端部に嵌合し、第２のパイプ１３に内挿される第２のロッド３１の一端部の孔３１Ａが第１のロッド３１の他端部に嵌合し、第３のパイプ１３に内挿される第３のロッド３１の一端部の孔３１Ａが第２のロッド３１の他端部に嵌合し、第３のロッド３１の他端部が先端アダプタ１２の従動ロッド１８の基端部の孔１８Ａに嵌合し、結果として、駆動ロッド１５と従動ロッド１８が第１〜第３のロッド３１（連結部材３０）により連結される。
【００２１】
グリップ１１、先端アダプタ１２又は他のパイプ１３から分割した各パイプ１３であり、かつ各ロッド３１を内挿した各パイプ１３の単体において、図８に示す如く、ロッド３１の長さＲは、パイプ１３の長さＰ（パイプ１３に接続した接続具２２〜２４を含む長さ）より短く、かつ該パイプ１３の長さＰから当該パイプ１３に接続されるグリップ１１、先端アダプタ１２又は他のパイプ１３との接続長Ｃを差し引いた長さ（Ｐ−Ｃ）よりも長く設定される。各ロッド３１において、当該ロッド３１と駆動ロッド１５、従動ロッド１８又は他のロッド３１との前述の嵌合長さをａ（図８）とするとき、（Ｐ−Ｃ）＝（Ｒ−ａ）になる。
【００２２】
また、グリップ１１、先端アダプタ１２又は他のパイプ１３から分割した各パイプ１３であり、かつ各ロッド３１を内挿した各パイプ１３の上述した単体において、パイプ１３に対するロッド３１の可動範囲をパイプ１３の端からロッド３１が突き出ることのない範囲に拘束している。本実施形態では、ロッド３１の軸方向の２ヶ所以上に鍔状の張り出し部３２を設け、張り出し部３２がパイプ１３の内面に沿って軸方向に摺動可能、かつ一方の摺動端でパイプ１３の絞り部１３Ａの内面が形成するストッパ部３３に衝合し、かつ他方の摺動端でパイプ１３の内面に設けたストッパ部３４に衝合し、該ロッド３１の可動範囲Ｆを拘束する。張り出し部３２は、円板状に限らず、例えば、３方向にのびた平たいプロペラのようなものでも良い。ストッパ部３４は、パイプ１３の端部に一体結合してある接続具２２〜２４の、該パイプ１３の内面に突出している弾発凸部２２Ａ〜２４Ａにて構成できる。
【００２３】
（清掃ヘッド４０の構造）（図１、図９）
清掃ヘッド４０は、図１、図９に示す如く、柄１０の先端アダプタ１２の継手１６、４１を介して前述の如くに回動自在に結合される。清掃ヘッド４０は、ベース４０Ａの底部まわりに清掃シートを巻付け可能にされ、押圧ポンプ式吐出容器５０が吐出した液剤を含浸させた清掃シートにより床面を湿式拭き可能にする他、液剤を含浸させない清掃シートにより床面を乾式拭き可能にする。
【００２４】
尚、清掃ヘッド４０は、ベース４０Ａの枠内面をメッシュ状にし、押圧ポンプ式吐出容器５０の液剤をこのベース４０Ａの上面に噴霧し、ベース４０Ａの下面に設けてある清掃シートに液剤を透過させて含浸させても良い。
【００２５】
また、清掃ヘッド４０はベース４０Ａに清掃シートをともなうことを必須とせず、ベース４０Ａの底部にスポンジシート等を取付け、押圧ポンプ式吐出容器５０の液剤をこのベース４０Ａの前方、周辺又は上面に噴霧しても良い。
【００２６】
（押圧ポンプ式吐出容器５０の構造）（図１、図５、図６、図１０）
押圧ポンプ式吐出容器５０は、図１、図５、図６に示す如く、洗浄液等の液剤を収容可能にする容器本体５１と、容器本体５１に設けた押圧ポンプ５２とからなる。容器本体５１は内溶液を詰替え使用できる。
【００２７】
押圧ポンプ式吐出容器５０は、容器取付具５３を介して柄１０に着脱可能にされる。容器取付具５３は、図１０に示す如く、容器本体５１が着脱自在に挿着される容器ホルダ５４を有し、容器ホルダ５４に容器本体５１の底部を支持する支持部５４Ａを備える。容器取付具５３は、弾発力によって着脱可能な状態で柄１０に対し抱付き状に取付く把持部５５と、柄１０の先端アダプタ１２に設けた凸状保持部１２Ｄに嵌合係止して押圧ポンプ５２に作用するポンプ押圧力に対し容器本体５１を保持する孔状係止部５６を備える。容器取付具５３の把持部５５は、弾発力によらず、嵌め込み式、ネジ式等にて柄１０に取付くものでも良い。押圧ポンプ式吐出容器５０は、押圧ポンプ５２にスプレーノズルを備え、ポンプ５２の作動により、容器本体５１の内容液を霧状に噴霧可能にする。
【００２８】
（ポンプ押圧具６０の構造）（図５、図６、図７、図９、図１０）
ポンプ押圧具６０は、図７に示す如く、柄１０の先端アダプタ１２の枢支部１２Ｃにピン結合されるとともに、先端アダプタ１２に内挿された従動ロッド１８の先端部に連結部６１をピン結合され、手元操作部１４に加える手操作（引き操作）により、駆動ロッド１５、連結部材３０（ロッド３１）を介して軸方向に変位せしめられる従動ロッド１８の前進直線動（押込み動）によって枢支部１２Ｃまわりに揺動可能にされる。
【００２９】
ポンプ押圧具６０は、図５、図６に示す如く、柄１０に取着されている押圧ポンプ式吐出容器５０の押圧ポンプ５２の押圧面５２Ａに他端押動部６２（作用点）を隙間なく、又は微小隙間を介して相対するように位置付けられる。これにより、ポンプ押圧具６０は、手元操作部１４の手操作により上述の如くに揺動せしめられたとき、押動部６２により押圧ポンプ５２の内蔵ばね５２Ｂの弾発力に抗して押圧面５２Ａを押圧し、押圧ポンプ５２をポンピング作動せしめ、ポンプ５２のスプレーノズルから清掃ヘッド４０の前方又は周辺に液剤を噴霧させる。
【００３０】
ポンプ押圧具６０は、図９、図１０に示す如く、押圧ポンプ式吐出容器５０及び容器取付具５３が柄１０から取外されたとき、先端アダプタ１２の枢支部１２Ｃ、凸状保持部１２Ｄ等に凹設された格納部１２Ｅに格納される。ポンプ押圧具６０は、枢支部１２Ｃまわりで格納部１２Ｅの側に押し倒され、格納部１２Ｅの内部に格納される。
【００３１】
従って、清掃具１は以下の如くに使用される。
清掃具１の物流段階、保管段階では、柄１０をグリップ１１、先端アダプタ１２、パイプ１３に分割し、清掃ヘッド４０、押圧ポンプ式吐出容器５０を柄１０から分離した各単体にする。各単体のグリップ１１、先端アダプタ１２、パイプ１３のそれぞれには駆動ロッド１５、従動ロッド１８、連結ロッド３１のそれぞれが内挿される。
【００３２】
清掃具１の使用時には、図１に示す如く、グリップ１１、先端アダプタ１２、パイプ１３を連結して柄１０を形成し、柄１０に清掃ヘッド４０、押圧ポンプ式吐出容器５０を取着する。
【００３３】
清掃具１の湿式拭きによる清掃動作時には、使用者は適時のタイミングで手元操作部１４により押圧ポンプ式吐出容器５０を押圧し、吐出容器５０の液剤を清掃ヘッド４０の前方又は周辺に噴霧する。使用者が柄１０を介して清掃ヘッド４０を床面上で摺動させることにより、液剤が含浸した清掃シートにより床面を湿式拭きする。
【００３４】
清掃具１の乾式拭きによる清掃動作時には、使用者が、押圧ポンプ式吐出容器５０を押圧することなく、清掃ヘッド４０を床面上で摺動させることにより、乾燥状態にある清掃シートにより床面を乾式拭きする。このとき、図２に示す如く、柄１０から押圧ポンプ式吐出容器５０、容器取付具５３を取外せば、清掃具１を軽量化できる。
【００３５】
本実施形態によれば以下の作用効果を奏する。
▲１▼清掃具１が押圧ポンプ式吐出容器５０を用いるものであるから、静粛に清掃できる。また、吐出容器５０の傾き等によって液面レベルが変化したり、残液量が少なくなったときにも、液剤の突出量の安定を図ることができる。押圧ポンプ式吐出容器は、広く一般的に使用されているものを転用することができ、清掃具１の低コスト化や軽量化を容易に達成できる。
【００３６】
▲２▼清掃ヘッド４０に対し、適時のタイミングで適量の液剤を供給し、床面を湿式拭きできる。乾式拭きで除去できない汚れを除去し、清掃能力を向上できる。
【００３７】
▲３▼吐出容器５０が容器取付具５３を介して柄１０に着脱される。吐出容器５０を取外すことにて、清掃具１を軽量化して乾式拭きに使用できる。吐出容器５０の液替え作業性も向上する。
【００３８】
▲４▼吐出容器５０は液剤をスプレーノズルにより霧状に噴霧するから、清掃ヘッド４０の側に液剤を広く均一に散布でき、畳やカーペット等の床面の汚れ剥離作用及び汚れ吸着拭取り作用を向上できる。
【００３９】
▲５▼手元操作部１４をポンプ押圧具６０に連結する連結部材３０を構成するロッド３１を、パイプ１３の接続組立体である柄１０に内挿するから、柄１０の外側に連結部材３０が露出せず、清掃具１の取扱性、外観性が向上する。
【００４０】
▲６▼清掃具１の物流段階や保管段階では、各ロッド３１を内挿した各パイプ１３の単体に柄１０を分割できるし、各パイプ１３の単体においてロッド３１がパイプ１３の端から突き出ることのないように拘束し、柄１０の分割取扱性が向上する。
【００４１】
▲７▼ロッド３１の軸方向の２ヶ所以上に張り出し部３２を設け、張り出し部３２がパイプ１３の内面に沿って軸方向に摺動可能、かつ摺動端でパイプ１３の内面に設けたストッパ部３３、３４に衝合することにより、パイプ１３の内部におけるロッド３１の可動範囲を簡易に拘束できる。
【００４２】
▲８▼吐出容器５０を柄１０から取外したとき、ポンプ押圧具６０を先端アダプタ１２の格納部１２Ｅに格納することにより、柄１０の周囲におけるポンプ押圧具６０の突出長を減じ又はなくし、清掃具１の取扱性が向上する。
【００４３】
清掃具１においては、押圧ポンプ式吐出容器５０を図１１に示す押圧ポンプ式吐出容器７０に代えることもできる。吐出容器７０は、図１１に示す如く、弾発力を用いて柄１０に取付く把持部７１と、柄１０に設けた保持部（不図示）に係止して吐出容器７０に作用するポンプ押圧力に対し該吐出容器７０を保持する係止部７２を、それ自体に備える。吐出容器７０の把持部７１は、弾発力によらず、嵌め込み式、ネジ式等にて柄１０に取付くものでも良い。これによれば、吐出容器７０をそれ自体直接的に柄１０に着脱できる。吐出容器７０を取外すことにて、清掃具１を軽量化して乾式拭きに使用できる。吐出容器７０の液替え作業性も向上する。
【００４４】
押圧ポンプ式吐出容器５０、７０は、加工性に優れたプラスチック容器とすることができ、柄１０又は容器取付具５３に対して安定取付けできる形状を容易に採択できる。
【００４５】
【発明の効果】
本発明によれば、湿式拭きできる清掃具において、静粛に作動し、液剤を安定的に吐出可能にし、かつ軽量化できる。
【図面の簡単な説明】
【図１】図１は清掃具を示す側面図である。
【図２】図２は吐出容器を取外した清掃具を示す側面図である。
【図３】図３は柄のグリップの側を示す断面図である。
【図４】図４は柄の中間部を示す断面図である。
【図５】図５は柄の先端側を示す断面図である。
【図６】図６は押圧ポンプ式吐出容器の取付構造を示す斜視図である。
【図７】図７は押圧ポンプ式吐出容器の操作系統を示す模式図である。
【図８】図８はロッドを内挿したパイプの単体を示す断面図である。
【図９】図９はポンプ押圧具の格納構造を示す側面図である。
【図１０】図１０は柄と容器取付具を示す斜視図である。
【図１１】図１１は吐出容器の他の例を示す斜視図である。
【符号の説明】
１  清掃具
１０  柄
１１  グリップ
１２  先端アダプタ
１２Ｄ  保持部
１２Ｅ  格納部
１３  パイプ
１４  手元操作部
３０  連結部材
３１  ロッド
３２  張り出し部
３３、３４  ストッパ部
４０  清掃ヘッド
５０  押圧ポンプ式吐出容器
５３  容器取付具
５５  把持部
５６  係止部
６０  ポンプ押圧具
【図１】
2004337454.tif 000003
【図２】
2004337454.tif 000004
【図３】
2004337454.tif 000005
【図４】
2004337454.tif 000006
【図５】
2004337454.tif 000007
【図６】
2004337454.tif 000008
【図７】
2004337454.tif 000009
【図８】
2004337454.tif 000010
【図９】
2004337454.tif 000011
【図１０】
2004337454.tif 000012
【図１１】
2004337454.tif 000013